(57)【要約】【課題】  効率的な無線映像伝送技術を提供する。【解決手段】  受信装置に映像信号を送信する映像信号出力装置であって、映像信号を入力する入力部と、入力した前記映像信号の解像度を変換する映像処理部と、映像信号を出力する出力部と、前記映像処理部と前記出力部とを制御する制御部とを備え、前記制御部の制御状態には、前記受信装置が対応可能な解像度の情報を取得し、前記映像信号が無線送信される場合には、取得した前記受信装置が対応可能な解像度が、入力した前記映像信号の解像度よりも高精細のときには、前記映像処理部で解像度の変換を行わないで映像信号を出力する第１の状態と、入力した前記映像信号の解像度が、取得した前記受信装置が対応可能な解像度よりも高精細のときには、前記映像処理部で解像度の変換を行って映像信号を出力する第２の状態と、があることを特徴とする。【選択図】  図１
2013247669.tif 000002
【特許請求の範囲】
【請求項１】
受信装置に映像信号を送信する映像信号出力装置であって、
映像信号を入力する入力部と、
入力した前記映像信号の解像度を変換する映像処理部と、
映像信号を出力する出力部と、
前記映像処理部と前記出力部とを制御する制御部とを備え、
前記制御部の制御状態には、
前記受信装置が対応可能な解像度の情報を取得し、前記映像信号が無線送信される場合には、
取得した前記受信装置が対応可能な解像度が、入力した前記映像信号の解像度よりも高精細のときには、前記映像処理部で解像度の変換を行わないで映像信号を出力する第１の状態と、
入力した前記映像信号の解像度が、取得した前記受信装置が対応可能な解像度よりも高精細のときには、前記映像処理部で解像度の変換を行って映像信号を出力する第２の状態と、がある
ことを特徴とする映像信号出力装置。
【請求項２】
請求項１に記載の映像信号出力装置であって、
前記出力部から出力された映像信号は、無線送信装置と無線受信装置とを介して前記受信装置に送信され、
前記制御部は、
前記無線送信装置と前記無線受信装置とが無線を使用する装置であることを認識できる認識情報に基づいて、前記映像信号が無線送信されると判断する
ことを特徴とする映像信号出力装置。
【請求項３】
受信装置に映像信号を送信する映像信号出力装置における映像信号出力方法であって、
映像信号を入力する入力ステップと、
前記受信装置が対応可能な解像度の情報を取得する取得ステップと、
取得した前記解像度の情報に応じて、入力した前記映像信号の解像度を変換する映像処理ステップと、
映像信号を出力する出力ステップと、を有し、
前記映像信号が無線送信される場合には、
取得した前記受信装置が対応可能な解像度が、入力した前記映像信号の解像度よりも高精細のときには、前記映像処理ステップで解像度の変換を行わないで映像信号を出力する第１の状態と、
入力した前記映像信号の解像度が、取得した前記受信装置が対応可能な解像度よりも高精細のときには、前記映像処理ステップで解像度の変換を行って映像信号を出力する第２の状態と、を有する
ことを特徴とする映像信号出力方法。
【請求項４】
映像信号のソース装置と、無線送信装置と、無線受信装置と、映像信号を表示するシンク装置とで構成される無線伝送システムにおいて、
前記ソース装置は、
前記無線送信装置と前記無線受信装置とが接続されていることを確認する無線装置確認手段と、
前記映像信号の映像フォーマットを変換する映像処理手段と、
前記映像処理手段で映像フォーマットを変換する前の元映像信号の映像フォーマットを認識する元信号フォーマット認識手段と、
前記シンク装置が対応可能な映像フォーマットの情報を取得する取得手段とを備え、
前記無線装置確認手段で、前記無線送信装置と前記無線受信装置とが接続されていることを確認した場合に、前記取得手段で取得した映像フォーマットが前記元信号フォーマット認識手段で認識した映像フォーマットよりも高精細のときには、前記映像処理手段で映像フォーマット変換を行わないで、前記無線送信装置を介して前記無線受信装置に対して前記映像信号を無線伝送し、
前記シンク装置は、
前記無線受信装置を介して前記映像信号を入力する入力手段と、
映像を表示する表示手段と、
映像信号の映像フォーマットを変換する映像処理手段とを備え、
前記無線受信装置を介して入力された前記映像信号を前記表示手段に対応する映像フォーマットに変換して表示する、
ことを特徴とする無線伝送システム。
【請求項５】
請求項４に記載の無線伝送システムにおいて、
前記ソース装置は、前記無線送信装置と接続する第一の接続手段と、第二の接続手段とを備え、前記取得手段が第一の接続手段を用い、前記無線装置確認手段が第二の接続手段を用いる
ことを特徴とする無線伝送システム。
【請求項６】
請求項４に記載の無線伝送システムにおいて、
前記ソース装置は、前記無線送信装置と接続する接続手段を備え、前記取得手段と前記無線装置確認手段が共に前記接続手段を用いる
ことを特徴とする無線伝送システム。
【請求項７】
請求項４に記載の無線伝送システムにおいて、
前記ソース装置は、無線を用いた装置であることを認識できる認識情報を前記無線送信装置と前記無線受信装置とに要求することにより、前記無線送信装置と前記無線受信装置とが接続されていることを確認する
ことを特徴とする無線伝送システム。
【請求項８】
請求項４に記載の無線伝送システムにおいて、
前記ソース装置は、無線を用いた装置であることを認識できる認識情報を前記シンク装置に要求し、
前記シンク装置は、前記認識情報を前記無線受信装置に要求し、前記無線受信装置から取得した前記認識情報を前記ソース装置に応答する
ことを特徴とする無線伝送システム。
【請求項９】
請求項４に記載の無線伝送システムにおいて、
前記無線送信装置は、無線を用いた装置であることを認識できる認識情報を記憶しておく記憶手段を備え、前記ソース装置から前記認識情報の要求があった場合は前記認識情報を応答する
ことを特徴とする無線伝送システム。
【請求項１０】
請求項４に記載の無線伝送システムにおいて、
前記無線受信装置は、無線を用いた装置であることを認識できる認識情報を記憶しておく記憶手段を備え、前記シンク装置から前記認識情報の要求があった場合は前記認識情報を応答する
ことを特徴とする無線伝送システム。
【請求項１１】
請求項４に記載の無線伝送システムにおいて、
前記無線受信装置は、無線を用いた装置であることを認識できる認識情報を記憶しておく記憶手段を備え、前記ソース装置から前記認識情報の要求があった場合は前記認識情報を応答する
ことを特徴とする無線伝送システム。
【発明の詳細な説明】
【技術分野】
【０００１】
本発明は、映像信号出力装置、映像信号出力方法、および、無線伝送システムに関する。
【背景技術】
【０００２】
ＨＤＤ（Hard Disc Drive）レコーダや、ＳＴＢ（Set Top Box）などの映像送信装置と、ＴＶやモニタ、プロジェクタ等の映像受信装置との信号伝送を行うためのインタフェースとして、例えばＨＤＭＩ（High-Definition Multimedia Interface）が知られている。
【０００３】
ＨＤＭＩを利用したシステムにおいては、映像送信装置から映像受信装置へ映像信号を伝送する際に、映像受信装置の能力および／または仕様を示す受信装置情報（例えばＥＤＩＤ（Extended Display Identification Data））を映像送信装置が読み取ることによって、映像送信装置は映像受信装置の能力や仕様に適したフォーマットの映像、音声信号を伝送することが可能となる。さらに、ＨＤＭＩを有する映像装置間で双方向の通信を実現するＣＥＣ（Consumer Electronics Control）によって、映像装置間の連係動作を実現することができる。
【０００４】
また、映像信号を伝送可能な無線伝送装置と組み合わせることにより、ＨＤＭＩをインタフェースとした無線映像伝送システムも考案されている。
【０００５】
例えば、特開２００８―３５５１７号公報（特許文献１）において、「映像信号を無線送信するソース装置と、無線送信された映像信号を受信し、受信した映像信号をディスプレイに表示するシンク装置とを含む無線通信システムにおいて、シンク装置は、ＲＯＭからＥＤＩＤ情報を読み出してそれを含む無線データ信号をソース装置に無線送信する。ソース装置はシンク装置から無線送信されたＥＤＩＤ情報を含む無線データ信号を無線受信し、ＥＤＩＤ情報に基づいて映像信号をシンク装置に無線送信する。」と記載されている。また、「ＥＤＩＤ情報のうち、ディスプレイで表示可能でかつ無線送受信回路が受信可能な無線データ伝送速度で伝送可能な映像フォーマットのみを送信してもよい。」と記載されている。
【先行技術文献】
【特許文献】
【０００６】
【特許文献１】特開２００８―３５５１７号公報
【発明の概要】
【発明が解決しようとする課題】
【０００７】
特許文献１で提供されるシステムは、無線送受信回路が受信可能な無線データ伝送速度で伝送可能な映像フォーマットのみを送信することで、無線伝送状況が悪い場合にソース装置が伝送速度に応じた映像信号を出力することが可能である。
【０００８】
伝送速度が高い場合は、ＥＤＩＤに従い、シンク装置とソース装置の双方が対応した最も高精細な映像フォーマットが伝送される。
【０００９】
一方、ソース装置が映像信号の高精細化を行うアップスケーラと、元々低解像度の映像フォーマットの映像を有している場合、ＥＤＩＤに従って低解像度映像をアップスケールし高解像度の映像を伝送することになる。高解像度映像を無線伝送するには、低解像度の映像の伝送に比べてより多くの占有周波数、占有時間、無線電波出力、送受信信号処理等のリソースを必要とし、効率的な無線伝送装置の使用状況を実現しているとは言い難い。
【００１０】
本発明は、上記課題を鑑み、効率的な無線映像伝送技術を提供することを目的とする。
【課題を解決するための手段】
【００１１】
上記目的を達成するために、例えば、特許請求の範囲に記載の構成を採用する。
【００１２】
本願は上記課題を解決する手段を複数含んでいるが、その一例を挙げるならば、受信装置に映像信号を送信する映像信号出力装置であって、映像信号を入力する入力部と、入力した前記映像信号の解像度を変換する映像処理部と、映像信号を出力する出力部と、前記映像処理部と前記出力部とを制御する制御部とを備え、前記制御部の制御状態には、前記受信装置が対応可能な解像度の情報を取得し、前記映像信号が無線送信される場合には、取得した前記受信装置が対応可能な解像度が、入力した前記映像信号の解像度よりも高精細のときには、前記映像処理部で解像度の変換を行わないで映像信号を出力する第１の状態と、入力した前記映像信号の解像度が、取得した前記受信装置が対応可能な解像度よりも高精細のときには、前記映像処理部で解像度の変換を行って映像信号を出力する第２の状態と、があることを特徴とする。
【発明の効果】
【００１３】
本発明によれば、効率的な無線映像伝送技術を提供することができる。
【図面の簡単な説明】
【００１４】
【図１】本実施例の無線システムの一例を示すブロック図である。
【図２】本実施例のソース装置および無線映像送信装置の構成の一例を示すブロック図である。
【図３】本実施例の無線映像受信装置およびシンク装置の構成の一例を示すブロック図である。
【図４】本実施例におけるソース装置、無線映像送信装置、無線映像受信装置およびシンク装置の動作手順の一例を示す図である。
【図５】本実施例におけるソース装置、無線映像送信装置、無線映像受信装置およびシンク装置の動作手順の一例を示す図である
【図６】通常のリピータ装置をソース装置とシンク装置間に接続した場合の構成を示す図である
【発明を実施するための形態】
【００１５】
以下、図面を参照しながら本発明の実施形態を説明する。図面の記載において、同一の部分には同一の符号を付している。
【実施例１】
【００１６】
本実施例は、ＨＤＭＩ規格でソース装置からシンク装置に映像信号などを伝送する伝送システムに適用したものである。図１は、本実施例における無線システムの構成例であり、１１は映像記録再生装置やビデオカメラ等のソース装置、１２は無線映像送信装置、１３は無線映像受信装置、１４はテレビ等の映像表示を行うシンク装置である。
【００１７】
ソース装置１１は、ＨＤＭＩ規格の映像信号出力端子を備え、ＨＤＭＩ規格の映像信号入力端子を備える無線映像送信装置１２とＨＤＭＩケーブル１５で接続されている。また、ソース装置１１と無線映像送信装置１２はＨＤＭＩとは異なる接続インタフェースを有し、接続インタフェースケーブル１６でも接続されている。
【００１８】
シンク装置１４は、ＨＤＭＩ規格の映像信号入力端子を備え、ＨＤＭＩ規格の映像信号出力端子を備える無線映像受信装置１３とＨＤＭＩケーブル１７で接続されている。また、無線映像受信装置１３とシンク装置１４はＨＤＭＩとは異なる接続インタフェースを有し、接続インタフェースケーブル１８でも接続されている。
【００１９】
無線映像送信装置１２と無線映像受信装置１３との間は、無線伝送を行うことにより、ＨＤＭＩケーブル１５経由でソース装置１１から入力された映像信号をＨＤＭＩケーブル１７経由でシンク装置１４に出力する。無線映像送信装置１２と無線映像受信装置１３との間の無線伝送方式は、本実施例では特定の方式に限定されるものではなく、映像データを伝送可能な各種無線伝送規格を適用すればよい。
【００２０】
また、無線映像送信装置１２と無線映像受信装置１３は、ＨＤＭＩのリピータ装置として動作する。従来の例として、通常のリピータ装置をソース装置１１とシンク装置１４の間に接続した場合の動作を図６を用いて説明する。図６において、１９はリピータ装置であり、ＨＤＭＩ入力部１９１、ＨＤＭＩ出力部１９２、制御部１９３およびメモリ１９４により構成される。ソース装置１１およびシンク装置１４と接続された場合、制御部１９３はＨＤＭＩ出力部１９２を経由してシンク装置１４からＥＤＩＤを読み出し、メモリ１９４に記憶する。ソース装置１１からリピータ装置１９にＥＤＩＤの読み出し要求があった場合は、メモリ１９４に記憶したＥＤＩＤを渡すことにより、ソース装置１１はシンク装置１４が対応可能な映像フォーマットの映像信号を出力することができる。
【００２１】
無線映像送信装置１２と無線映像受信装置１３は、二つの装置をあわせてリピータ装置１９と同様に振舞う。したがって、ソース装置１１およびシンク装置１４は、無線映像送信装置１２と無線映像受信装置１３が無線を用いた装置であると通常認識することはない。
【００２２】
本実施例の実施形態に戻り、シンク装置１１および無線映像送信装置１２の詳細構成と動作について、図２を用いて説明する。
【００２３】
ソース装置１１は、ＡＤ（Analog-Digital）変換部１１１、信号切替部１１２、映像信号源１１３、映像処理部１１４、ＨＤＭＩ出力部１１５、制御部１１６、メモリ１１７および接続インタフェース部１１８で構成される。また、ソース装置１１は映像信号の外部入力端子を有し、アナログ映像信号源２０とデジタル映像信号源２１がそれぞれ外部入力端子を経由してＡＤ変換部１１１および信号切替部１１２に接続されている。
【００２４】
アナログ映像信号源２０からはアナログ映像信号が出力され、ＡＤ変換部１１１でデジタル信号に変換されて信号切替部１１２に入力される。デジタル映像信号源２１からはデジタル映像信号が入力され、同じく信号切替部１１２に入力される。また映像信号源１１３はシンク装置１１内部の信号源であり、たとえばＤＶＤ等の光ディスクやハードディスク等、デジタル映像信号を記録できる媒体であればどのような形態のものであってもよい。さらには、デジタル映像信号を出力する撮像素子であってもよい。
【００２５】
信号切替部１１２は、ＡＤ変換部１１１、デジタル映像信号源２１および映像信号源１１３から入力される映像信号のいずれか一つを、制御部１１６からの指示に従い選択する。信号切替部１１２で選択された映像信号は、映像処理部１１４に入力される。映像処理部１１４はアップスケールを含む映像フォーマットの変換が可能であり、制御部１１６の指示に従って映像信号の映像フォーマットを変換する。映像フォーマットは制御部１１６が決定するが、決定方法については後述する。
【００２６】
変換された映像信号はＨＤＭＩ出力部１１５に入力され、ＨＤＭＩ出力部１１５はＨＤＭＩケーブル１５を経由してＨＤＭＩ入力部１２１に映像信号を伝送する。接続インタフェース１１８は、ＵＳＢ、イーサネット（登録商標）等の通信用インタフェースであり、接続インタフェースケーブル１６で無線映像送信装置１２と接続していて、ＨＤＭＩでは通信できないデータ通信を行う。メモリ１１７には、無線映像送信装置１２から読み出したＥＤＩＤを記憶しておく。
【００２７】
無線映像送信装置１２は、ＨＤＭＩ入力部１２１、無線部１２２、制御部１２３、接続インタフェース部１２４およびメモリ１２５で構成される。ＨＤＭＩ入力部１２１はＨＤＭＩケーブル１５でソース装置１１のＨＤＭＩ出力部１１５と、接続インタフェース１２４は接続インタフェースケーブル１６でソース装置１１の接続インタフェース部１１８とにそれぞれ接続されている。
【００２８】
ＨＤＭＩ入力部１２１に入力された映像信号は、無線部１２２で送信用の信号処理がなされ、無線信号として無線映像受信装置１３に送信される。メモリ１２５には、無線映像受信装置１３から読み出したＥＤＩＤを記憶しておく。さらにメモリ１２５には、無線映像送信装置１２が無線を使用している装置だと認識できる情報を記憶しておく。
【００２９】
次に無線映像受信装置１３およびシンク装置１４の詳細構成と動作について、図３を用いて説明する。
【００３０】
無線映像受信装置１３は、無線部１３１、ＨＤＭＩ出力部１３２、制御部１３３、メモリ１３４および接続インタフェース部１３５で構成される。ＨＤＭＩ出力部１３２はＨＤＭＩケーブル１７でシンク装置１４のＨＤＭＩ入力部１４１と、接続インタフェース１３５は接続インタフェースケーブル１８でシンク装置１４の接続インタフェース部１４５とにそれぞれ接続されている。
【００３１】
無線部１３１は無線映像送信装置１２の無線部１２２から送信された無線映像信号を受信し、ＨＤＭＩ出力部１３２に出力する。ＨＤＭＩ出力部１３２はシンク装置１４のＨＤＭＩ入力部１４１に映像信号を伝送する。メモリ１３４には、シンク装置１４から読み出したＥＤＩＤを記憶しておく。さらにメモリ１３４には、無線映像受信装置１３が無線を使用している装置だと認識できる情報を記憶しておく。
【００３２】
シンク装置１４は、ＨＤＭＩ入力部１４１、映像処理部１４２、表示部１４３、制御部１４４、メモリ１４６および接続インタフェース部１４５で構成される。
【００３３】
ＨＤＭＩ入力部１４１に入力された映像信号は、映像処理部１４２に出力される。映像処理部１４２はアップスケールを含む映像フォーマットの変換が可能であり、制御部１４４の指示に従って映像信号の映像フォーマットを変換する。映像フォーマットは制御部１４４が決定するが、決定方法については後述する。変換された映像信号は表示部１４３で表示される。接続フェース１４５は、ＵＳＢ、イーサネット（登録商標）等の通信用インタフェースであり、接続インタフェースケーブル１８で無線映像受信装置１３と接続していて、ＨＤＭＩでは通信できないデータ通信を行う。なお、接続インタフェース１３５および１４５は、図２に示した接続インタフェース１１８および１２４と必ずしも同じ規格を用いる必要はない。
【００３４】
メモリ１４６には、表示部１４３に表示可能な映像フォーマットがＥＤＩＤとして記憶されている。また映像処理部１４２でアップスケールまたはダウンスケールを行うことにより表示部１４３に表示可能な映像フォーマットもメモリ１４６に記憶されるＥＤＩＤには含まれている。
【００３５】
続いて、各装置の動作シーケンスについて図４を用いて説明する。
【００３６】
まずステップ４００で、無線映像送信装置１２と無線映像受信装置１３間の無線接続を確立する。続いてステップ４０１で、ソース装置１１がシンク装置１４にＥＤＩＤ要求を送信する。なお、無線映像送信装置１２および無線映像受信装置１３はリピータとして動作するため、ＥＤＩＤ要求はそのまま通過させる。
【００３７】
ステップ４０２で、シンク装置１４はソース装置１１にＥＤＩＤを応答として送信する。具体的には、まずシンク装置１４の制御部１４４がメモリ１４６からＥＤＩＤを読み出し、ＨＤＭＩ入力部１４１、無線映像受信装置１３のＨＤＭＩ出力部１３２を経由して制御部１３３がＥＤＩＤを取得し、メモリ１３４に記憶する。さらに記憶されたＥＤＩＤは無線部１３１、無線映像送信装置１２の無線部１２２を経由して制御部１２３がＥＤＩＤを取得し、メモリ１２５にコピーする。最後に記憶されたＥＤＩＤはＨＤＭＩ入力１２１、ソース装置１１のＨＤＭＩ出力部１１５を経由して制御部１１６がＥＤＩＤを取得し、メモリ１１７にコピーする。
【００３８】
続いてステップ４０３で、ソース装置１１は無線映像送信装置１２に対し、無線を用いた装置であるかどうかの情報を要求する。このときの情報要求は、接続インタフェース部１１８と１２４を用いた通信によって行われる。
【００３９】
次にステップ４０４で、無線映像送信装置１２の制御部１２３がメモリ１２５から無線映像送信装置１２が無線を使用していると認識できる情報を読み出し、接続インタフェース１２４を経由してソース装置１１からの要求に対する応答として送信する。
【００４０】
次にステップ４０５で、ソース装置１１の制御部１１６はステップ４０４で取得した応答に基づき、接続されている装置が無線映像送信装置１２であるかどうかを判定する。接続されている装置が通常のリピータ装置の場合は無線を使用していると認識できる情報が取得できないため、無線映像送信装置１２でないと判定してステップ４０６に進む。また、無線を用いる装置であっても、無線を使用している装置だと認識できる情報を記憶していない装置である場合も、無線映像送信装置１２でないと判定してステップ４０６に進む。一方、接続された装置が無線映像送信装置１２だと判定された場合は、ステップ４１１に進む。
【００４１】
ステップ４０６で、シンク装置１４に対してシンク装置１４に接続されているのが無線を用いた装置であるかどうかの情報を要求する。このときの情報要求は、ＣＥＣを用いて行われる。なお、無線映像送信装置１２および無線映像受信装置１３はリピータとして動作し、ＥＤＩＤ要求の時の同様に情報要求はそのまま通過させる。
【００４２】
ステップ４０７で、シンク装置１４は無線映像受信装置１３に対し、無線を用いた装置であるかどうかの情報を要求する。このときの情報要求は、接続インタフェース部１４５および１３５を用いた通信によって行われる。
【００４３】
次にステップ４０８で、無線映像受信装置１３の制御部１３３がメモリ１３４から無線映像受信装置１３が無線を使用していると認識できる情報を読み出し、接続インタフェース１３５を経由してシンク装置１４からの要求に対する応答として送信する。
【００４４】
ステップ４０９で、ソース装置１１に対して、シンク装置１４に接続されているのが無線を用いた装置であるかどうかの情報を要求への応答をＣＥＣを用いて送信する。
【００４５】
ステップ４１０で、ソース装置１１の制御部１１６はステップ４０９で取得した応答に基づき、シンク装置１４に接続されている装置が無線映像受信装置１３であるかどうかを判定する。接続されている装置が通常のリピータ装置の場合は無線を使用していると認識できる情報が取得できないため、無線映像受信装置でないと判定してステップ４１２に進む。一方、接続された装置が無線映像受信装置だと判定された場合は、ステップ４１１に進む。
【００４６】
ステップ４１１は、無線映像送信装置および無線映像受信装置が接続されている場合に行われる動作であり、ソース装置１１の制御部１１６は、映像処理部１１４に入力されている映像信号の映像処理がなされる前の映像フォーマットを取得する。
【００４７】
続いてステップ４１２で、映像処理部１１４が出力する映像フォーマットを決定する。具体的には、ステップ４１１で取得した映像フォーマットの解像度がメモリ１１７に記憶されているＥＤＩＤの最高解像度より低解像度である場合は、ステップ４１１で取得した映像フォーマットの解像度を指定する。一方、ステップ４１１で取得した映像フォーマットの解像度がメモリ１１７に記憶されているＥＤＩＤより高解像度である場合は、ＥＤＩＤの最高解像度を指定する。
【００４８】
最後にステップ４１３で、映像処理部１１４が指定された解像度に、必要に応じて映像フォーマットの変換を行い、ＨＤＭＩ出力部１１５に対し映像信号を出力する。
【００４９】
以上説明した動作を行うことにより、無線映像送信装置１２および無線映像受信装置１３が接続されている場合は、映像処理部１１４に入力されている映像信号の映像処理がなされる前の低解像度の映像フォーマットで出力される。したがって、無線映像送信装置１２と無線映像受信装置１３間の無線接続に必要なリソースは、ＥＤＩＤに従って動作した場合に比較して抑制することができる。また、送信された映像信号はシンク装置１４の映像処理部１４２で表示部１４３に適応した映像フォーマットに変換処理されるため、ＥＤＩＤに従って動作した場合と同様の画質を得ることができるという利点がある。ソース装置は無線を用いて映像伝送を行っているかどうかを判定し、無線を用いている場合はソース装置内部の高解像処理を行わず、シンク装置から取得したＥＤＩＤの映像フォーマットよりも低解像度の映像を出力し、シンク装置側で高解像度処理を行うことにより、シンク装置で表示する画質を低下させることなく、無線映像送信装置および無線映像受信装置が用いるリソースを最小限に抑制することができる。
【実施例２】
【００５０】
第２の実施の形態として、接続インタフェース１１８、１２４、１３５および１４５を使用しない構成を説明する。この場合、ソース装置１１と無線映像送信装置１２、ならびに無線映像受信装置１３とシンク装置１４は、それぞれＨＤＭＩケーブル１５、１７で接続される。
【００５１】
続いて、各装置の動作シーケンスについて図５を用いて説明する。ステップ４００、４０１および４０２までは実施例１と同様である。
【００５２】
続いてステップ５０１で、ソース装置１１は無線映像送信装置１２に対し、無線を用いた装置であるかどうかの情報を要求する。このときの情報要求は、ＣＥＣによって行われる。具体的には、ＨＤＭＩ出力部１１５から無線映像送信装置１２のアドレスに対し情報要求が送信される。ＣＥＣの標準コマンドには、上記情報要求は含まれていないため、ベンダユニークコマンドとしてソース装置１１と無線映像送信装置１２とで定義しておく必要がある。ＨＤＭＩ入力部１２１は上記情報要求を抽出し、制御部１２３に通知する。もし無線映像送信装置１２が上記ベンダユニークコマンドに対応していない場合は、ＣＥＣは無線映像受信装置１３にそのまま伝送される。
【００５３】
次にステップ５０２で、無線映像送信装置１２の制御部１２３がメモリ１２５から無線映像送信装置１２が無線を使用していると認識できる情報を読み出し、ＨＤＭＩ入力部１２１からソース装置１１のアドレスに対して要求応答としてＣＥＣで送信する。無線映像送信装置１２が上記ベンダユニークコマンドに対応していない場合は、ＣＥＣは無線映像受信装置１３にそのまま伝送されるため、無線映像受信装置１３の制御部１３３がメモリ１３４から無線映像受信装置１３が無線を使用していると認識できる情報を読み出し、ＨＤＭＩ入力部１３２から無線部１３１を経由してソース装置１１のアドレスに対して要求応答としてＣＥＣで送信する。
【００５４】
ステップ４０５は実施例１と同様であり、ソース装置１１の制御部１１６はステップ５０２で取得した応答に基づき、接続されている装置が無線映像送信装置１２もしくは無線映像受信装置１３であるかどうかを判定する。接続されている装置が通常のリピータ装置の場合は無線を使用していると認識できる情報が取得できないため、無線映像送信装置でないと判定してステップ４１２に進む。また、無線を用いる装置であっても、無線を使用している装置だと認識できる情報を記憶していない装置である場合も、無線映像送信装置でないと判定してステップ４１２に進む。一方、接続された装置が無線映像送信装置だと判定された場合は、ステップ４１１に進む。
【００５５】
ステップ４１１以降は実施例１と同様である。
【００５６】
以上説明した動作を行うことにより、接続インタフェースを使用しなくとも実施例１と同様の効果を得ることができる。つまり、無線映像送信装置１２および無線映像受信装置１３が接続されている場合は、映像処理部１１４に入力されている映像信号の映像処理がなされる前の低解像度の映像フォーマットで出力される。したがって、無線映像送信装置１２と無線映像受信装置１３間の無線接続に必要なリソースは、ＥＤＩＤに従って動作した場合に比較して抑制することができる。また、送信された映像信号はシンク装置１４の映像処理部１４２で表示部１４３に適応した映像フォーマットに変換処理されるため、ＥＤＩＤに従って動作した場合と同様の画質を得ることができるという利点がある。ソース装置は無線を用いて映像伝送を行っているかどうかを判定し、無線を用いている場合はソース装置内部の高解像処理を行わず、シンク装置から取得したＥＤＩＤの映像フォーマットよりも低解像度の映像を出力し、シンク装置側で高解像度処理を行うことにより、シンク装置で表示する画質を低下させることなく、無線映像送信装置および無線映像受信装置が用いるリソースを最小限に抑制することができる。
【００５７】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【００５８】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード、ＤＶＤ等の記録媒体に置くことができる。
【００５９】
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００６０】
１１・・・ソース装置
１２・・・無線映像送信装置
１３・・・無線映像受信装置
１４・・・シンク装置
【図１】
2013247669.tif 000003
【図２】
2013247669.tif 000004
【図３】
2013247669.tif 000005
【図４】
2013247669.tif 000006
【図５】
2013247669.tif 000007
【図６】
2013247669.tif 000008